(57)【要約】【課題】梱包箱の前後奥行き方向への寸法が嵩んで梱包外形内の空きスペースが大きくなり、梱包容積が増大するため、運搬用コンテナへの積み込み数が稼げないという課題があった。【解決手段】支持脚３１，３１が鉛直下方に突出する本体キャビネット２０と、左右長手方向を上下にして本体キャビネット２０の背面に配置される支持台３２とを上下緩衝材４２，４３により支持させつつ梱包箱４１に収容する。このため、支持脚３１，３１の周囲に生じる空きスペースＰが抑制されることにより、梱包容量が低減され、運搬用コンテナの入り数１２％増を見込むことができる。【選択図】図６
2008213908.tif 000002
【特許請求の範囲】
【請求項１】
前面にパネル型の表示部を有する本体キャビネットと、該本体キャビネットの底側から鉛直下方に突出する支持脚と該支持脚を支持する左右横長の支持台とを有するスタンドと、を備えるプラズマディスプレイの梱包構造において、
上記本体キャビネットから突出する上記支持脚を収容する支持脚収容空間と、該本体キャビネットの底部を下方から支持する本体用凹みとを有する底側凹みと、該支持脚に着脱可能であるとともに、左右長さが該本体キャビネットと該支持脚との合計高さよりも小さい上記支持台の長手方向の一端側を、該支持台の底面を該本体キャビネットの背面に対向させつつ下方から支持する一端側凹みを備える下緩衝材と、
上記本体キャビネットの天井側を上方から支持する天井側凹みと、上記支持台の長手方向の他端側を該本体キャビネットの背面にて上方から支持する他端側凹みとを備える上緩衝材と、
上方に開口を有し、上記下緩衝材を収容する下箱と、上記上緩衝材を上部に配置し、該下緩衝材と該上緩衝材とにより支持させつつ該プラズマディスプレイを収容するように上方から該下箱に覆い被せる上箱とから構成される直方体形状の梱包箱と、を備え、
上記支持台は、上記支持脚の下端部を収容可能な取付孔と、該取付孔の内部から背面側に向けて貫通するビス貫通孔とを備え、該支持脚は、下端部を該取付孔に収容させるときに該ビス貫通孔と連通して背面側からのビス止めが可能なビス止め孔を備え、
上記上緩衝材は、上記天井側凹みと上記他端側凹みとの間で上下方向に貫通し、取扱説明書を上方から挿入して上記本体キャビネットと上記支持台との間に介在させつつ取り付け可能なスリットを備えたことを特徴とするプラズマディスプレイの梱包構造。
【請求項２】
前面にパネル型の表示部を有する本体キャビネットと、該本体キャビネットの底側から鉛直下方に突出する支持脚と該支持脚を支持する左右横長の支持台とを有するスタンドと、を備える薄型テレビの梱包構造において、
上記支持脚が突出する本体キャビネットを底側から支持する底側凹みと、該支持脚に着脱可能な上記支持台の長手方向の一端側を該本体キャビネットの背面にて下方から支持する一端側凹みとを備える下緩衝材と、
上記本体キャビネットの天井側を上方から支持する天井側凹みと、上記支持台の長手方向の他端側を該本体キャビネットの背面にて上方から支持する他端側凹みとを備える上緩衝材と、
上記下緩衝材を下部に配置するとともに、上記上緩衝材を上部に配置し、該下緩衝材と該上緩衝材とにより支持させつつ該薄型テレビを収容する直方体形状の梱包箱と、を備えることを特徴とする薄型テレビの梱包構造。
【請求項３】
上記支持台の左右長さは、上記本体キャビネットと上記支持脚との合計高さよりも小さいことを特徴とする上記請求項２に記載の薄型テレビの梱包構造。
【請求項４】
上記支持台は、上記支持脚の下端部を収容可能な取付孔と、該取付孔の内部から背面側に向けて貫通するビス貫通孔とを備え、該支持脚は、下端部を該取付孔に収容させるときに該ビス貫通孔と連通して背面側からのビス止めが可能なビス止め孔を備えたことを特徴とする上記請求項２または請求項３のいずれかに記載の薄型テレビの梱包構造。
【請求項５】
上記底側凹みは、上記本体キャビネットから突出する上記支持脚を上記下緩衝材の高さ寸法内に収容する支持脚収容空間と、該本体キャビネットの底部を下方から支持する本体用凹みとを備えたことを特徴とする上記請求項２〜請求項４のいずれかに記載の薄型テレビの梱包構造。
【請求項６】
上記上緩衝材は、上記天井側凹みと上記他端側凹みとの間で上下方向に貫通し、取扱説明書を上方から挿入して上記本体キャビネットと上記支持台との間に介在させつつ取り付け可能なスリットを備えたことを特徴とする上記請求項２〜請求項５のいずれかに記載の薄型テレビの梱包構造。
【発明の詳細な説明】
【技術分野】
【０００１】
本発明は、プラズマディスプレイの梱包構造および薄型テレビの梱包構造に関する。
【背景技術】
【０００２】
従来のプラズマテレビジョンの梱包状態における外形寸法例を図１２に示している。
同図において、従来のプラズマテレビジョンは、左右に横長の略長方形で前後に薄型の外観形状を有する本体キャビネット１と、支持脚２ａ，２ａと支持台２ｂとが一体的に形成されたスタンド２とから構成されている。
梱包時には、支持台２ｂの底面を本体キャビネット１の背面に対向させつつ梱包箱に収納される。このため、梱包状態における前後奥行き寸法は、本体キャビネット１の前後奥行きと、支持台２ｂの上面から底面までの厚みと、支持脚２ａ，２ａの長さとの合計寸法Ｌとなり、支持脚２ａ，２ａの周囲には空きスペースＱが生じる。
【０００３】
なお、特許文献１〜３には、表示装置本体からスタンドを取り外して梱包することについて記載されている。
【特許文献１】特開２００６−１６８７３５号公報
【特許文献２】特開２００６−１６０３３５号公報
【特許文献３】特開２００４−１３１１００号公報
【発明の開示】
【発明が解決しようとする課題】
【０００４】
しかしながら、上述した従来の梱包構造においては、梱包箱の前後奥行き方向への寸法が嵩んで梱包外形内の空きスペースが大きくなり、梱包容積が増大するため、運搬用コンテナへの積み込み数が稼げないという課題があった。
本発明は、上記課題にかんがみてなされたもので、梱包容積を抑制することにより、運搬用コンテナの入り数を稼ぐことが可能な薄型テレビの梱包構造の提供を目的とする。
【課題を解決するための手段】
【０００５】
上記課題を解決するために、本発明の薄型テレビの梱包構造では、前面にパネル型の表示部を有する本体キャビネットと、該本体キャビネットの底側から鉛直下方に突出する支持脚と該支持脚を支持する左右横長の支持台とを有するスタンドと、を備える薄型テレビの梱包構造において、上記支持脚が突出する本体キャビネットを底側から支持する底側凹みと、該支持脚に着脱可能な上記支持台の長手方向の一端側を該本体キャビネットの背面にて下方から支持する一端側凹みとを備える下緩衝材と、上記本体キャビネットの天井側を上方から支持する天井側凹みと、上記支持台の長手方向の他端側を該本体キャビネットの背面にて上方から支持する他端側凹みとを備える上緩衝材と、上記下緩衝材を下部に配置するとともに、上記上緩衝材を上部に配置し、該下緩衝材と該上緩衝材とにより支持させつつ該薄型テレビを収容する直方体形状の梱包箱と、を備える構成としてある。
【０００６】
この構成により、前面にパネル型の表示部を有する薄型テレビを上記下緩衝材に支持させるにあたって、上記底側凹みは、上記支持脚が突出する本体キャビネットを底側から支持する。該支持脚から取り外された上記支持台は、該本体キャビネットの背面にて左右横長方向を上下に配向させられる。上記一端側凹みは、該支持脚に着脱可能な上記支持台の長手方向の一端側を該本体キャビネットの背面にて下方から支持する。
【０００７】
また、該薄型テレビを上記上緩衝材に支持させるにあたって、上記天井側凹みは、上記本体キャビネットの天井側を上方から支持する。上記他端側凹みは、天井側凹みと、上記支持台の長手方向の他端側を該本体キャビネットの背面にて上方から支持する。
さらに、直方体形状の梱包箱は、上記下緩衝材を下部に配置するとともに、上記上緩衝材を上部に配置し、該下緩衝材と該上緩衝材とにより支持させつつ該薄型テレビを収容する。
従って、梱包状態において、上記支持脚の周囲に生じる空きスペースは、前後奥行き方向には、該薄型テレビの前後厚みと上記支持台の厚みとの合計厚みとなり、左右幅方向には、該薄型テレビの左右幅となる。
【０００８】
上記支持台の左右長さは、上記本体キャビネットと上記支持脚との合計高さよりも小さくしてもよい。この構成により、該支持脚から取り外された該支持台が該本体キャビネットの背面にて左右横長方向を上下に配向させられるとき、該支持台の高さ寸法は、該本体キャビネットの天井側と該支持脚の下端との間に収まる。このため、該支持台の一端側が該支持脚の下端よりも下方に突出したり、該支持台の他端側が該本体キャビネットの天井側よりも上方に突出しない。
【０００９】
上記支持台は、上記支持脚の下端部を収容可能な取付孔と、該取付孔の内部から背面側に向けて貫通するビス貫通孔とを備え、該支持脚は、下端部を該取付孔に収容させるときに該ビス貫通孔と連通して背面側からのビス止めが可能なビス止め孔を備えた構成としてもよい。
この構成により、該支持台を該支持脚から取り外すとき、該薄型テレビを平常の使用時の姿勢としたままで、工具を用いて背面側からビスを緩める。すると、該ビスは、該支持脚のビス止め孔から外れ、該支持台のビス貫通孔を介して背面側に抜ける。そして、該支持脚の下端部は、該支持台の取付孔から上方に引き抜かれる。
また、該支持台に該支持脚を組み付けるとき、該支持台を裏返したりすることなく、使用時の姿勢としたままで、該支持脚の下端部は、上方から該支持台の取付孔に挿入される。そして、該ビスを背面側から該支持台のビス貫通孔に挿入し、該ビス貫通孔と連通する該支持脚のビス止め孔に工具を用いて締め付ける。
【００１０】
上記底側凹みは、上記本体キャビネットから突出する上記支持脚を収容する支持脚収容空間と、該本体キャビネットの底部を下方から支持する本体用凹みとを備えた構成としてもよい。この構成により、該支持脚収容空間は、該本体キャビネットから下方に突出する支持脚を上記下緩衝材の高さ寸法内に収容する。該本体用凹みは、該本体キャビネットの底部を下方から支持する。
【００１１】
上記上緩衝材は、上記天井側凹みと上記他端側凹みとの間で上下方向に貫通し、取扱説明書を上方から挿入して上記本体キャビネットと上記支持台との間に介在させつつ取り付け可能なスリットを備えた構成としてもよい。この構成により、該取扱説明書は、該上緩衝材の上記天井側凹みと上記他端側凹みとの間で上下方向に貫通するスリットに挿入され、該本体キャビネットと該支持台との間に介在させた状態で該スリットに取り付けられる。
【００１２】
さらに、より具体的な構成として、前面にパネル型の表示部を有する本体キャビネットと、該本体キャビネットの底側から鉛直下方に突出する支持脚と該支持脚を支持する左右横長の支持台とを有するスタンドと、を備えるプラズマディスプレイの梱包構造において、上記本体キャビネットから突出する上記支持脚を収容する支持脚収容空間と、該本体キャビネットの底部を下方から支持する本体用凹みとを有する底側凹みと、該支持脚に着脱可能であるとともに、左右長さが該本体キャビネットと該支持脚との合計高さよりも小さい上記支持台の長手方向の一端側を、該支持台の底面を該本体キャビネットの背面に対向させつつ下方から支持する一端側凹みを備える下緩衝材と、上記本体キャビネットの天井側を上方から支持する天井側凹みと、上記支持台の長手方向の他端側を該本体キャビネットの背面にて上方から支持する他端側凹みとを備える上緩衝材と、上方に開口を有し、上記下緩衝材を収容する下箱と、上記上緩衝材を上部に配置し、該下緩衝材と該上緩衝材とにより支持させつつ該薄型テレビを収容するように上方から該下箱に覆い被せる上箱とから構成される直方体形状の梱包箱と、を備え、上記支持台は、上記支持脚の下端部を収容可能な取付孔と、該取付孔の内部から背面側に向けて貫通するビス貫通孔とを備え、該支持脚は、下端部を該取付孔に収容させるときに該ビス貫通孔と連通して背面側からのビス止めが可能なビス止め孔を備え、上記上緩衝材は、上記天井側凹みと上記他端側凹みとの間で上下方向に貫通し、取扱説明書を上方から挿入して上記本体キャビネットと上記支持台との間に介在させつつ取り付け可能なスリットを備えた構成としてある。
【発明の効果】
【００１３】
以上説明したように本発明の請求項２にかかる発明によれば、梱包箱内の空きスペースを削減して梱包容積を抑制することにより、運搬用コンテナの入り数１２％増を見込むことが可能な薄型テレビの梱包構造を提供することができる。
また、請求項３にかかる発明によれば、本体キャビネットと支持脚の合計高さ寸法を有効利用することにより、梱包箱の高さを抑制することができる。
さらに、請求項４にかかる発明によれば、組立時あるいは分解時、支持台を裏返したり、本体キャビネットを寝かしたりしなくても、支持脚に対する該支持台の着脱作業を容易に行うことができる。
【００１４】
さらに、請求項５にかかる発明によれば、下緩衝材の高さ寸法を有効利用することにより、梱包箱の高さを抑制することができる。
さらに、請求項６にかかる発明によれば、運搬時に本体キャビネットと支持台とが接触するのを防止できる。
さらに、請求項１のような、より具体的な構成において、上述した請求項２〜請求項６の各発明と同様の作用を奏することは言うまでもない。
【発明を実施するための最良の形態】
【００１５】
以下、下記の順序に従って本発明の実施形態を説明する。
（１）プラズマテレビジョンの構成：
（２）プラズマテレビジョンの梱包構造：
（３）プラズマテレビジョンの梱包手順と開梱組立手順：
（４）まとめ：
【００１６】
（１）プラズマテレビジョンの構成：
図１は、プラズマテレビジョン１０の概略構成をブロック図により示している。同図において、プラズマテレビジョン１０は、本体の動作を制御するコントローラ１１ａと、図示しないアンテナで受信されるテレビ放送信号から選択チャンネルのテレビ放送信号を抽出して出力するチューナ１１ｂと、チューナ１１ｂが出力したテレビ放送信号に基づく映像信号を出力する映像処理部１１ｃと、この映像信号に基づく映像を表示面に表示する表示部としてのプラズマディスプレイパネル（ＰＤＰ）１２と、チューナ１１ｂが出力したテレビ放送信号に基づく音声をスピーカ１１ｄから出力する音声処理部１１ｅと、リモコン１１ｆから送信された制御コマンドを受信するリモコン受信部１１ｇとを備えている。
【００１７】
コントローラ１１ａと、チューナ１１ｂと、映像処理部１１ｃと、音声処理部１１ｅと、リモコン受信部１１ｇとは、回路として主基板に実装され、ＰＤＰ１２の背面に取り付けられる。コントローラ１１ａは、リモコン受信部１１ｇで受信した制御コマンドに応じて、電源のオンオフ、チャンネルの切換、音量のアップダウン等を制御する。なお、プラズマテレビジョン１０の各部には、図示していない電源回路から動作電源が供給されている。この電源回路の入力は、商用電源（例えば、ＡＣ１００Ｖ）である。
【００１８】
本実施形態では、ＰＤＰ１２から映像を出力するプラズマテレビジョンを例示して説明するが、本発明にいう薄型テレビには、液晶パネルにて映像を出力する液晶テレビジョン等も含まれる。
【００１９】
図２は、プラズマテレビジョン１０の前面外観を斜視図により示している。
同図において、本体キャビネット２０は、前面にＰＤＰ１２の表示枠を形成するフロントキャビネット２１と、背面からフロントキャビネット２１に組み付けられるリアキャビネット２２とから構成され、左右に横長の略長方形で前後に薄型の外観形状を有する。
スタンド３０は、本体キャビネット２０の底部から下方に突出する一対の支持脚３１，３１と、支持脚３１，３１の下端部に取り付けられる支持台３２とから構成される。
【００２０】
図３は、プラズマテレビジョン１０の背面外観を分解斜視図により示している。
同図において、支持台３２の上面には、支持脚３１，３１の下端部を上方から挿入可能な取付孔３２ａ，３２ａが形成されている。支持脚３１，３１の下端部には、前後方向にビス止め孔３１ａ，３１ａが設けられ、取付孔３２ａ，３２ａの所定深さ位置には、背面方向にビス貫通孔３２ａ１，３２ａ１が設けられている。
組立時には、左右の支持脚３１，３１が左右の取付孔３２ａ，３２ａに各々挿入され、ビス貫通孔３２ａ１，３２ａ１とビス止め孔３１ａ，３１ａとを連通させつつ、工具で背面側からビスをビス止め孔３１ａ，３１ａに締め付けることにより、支持台３２を支持脚３１，３１に固定する。また、分解時には、背面側にビスを外すことにより、支持脚３１，３１が支持台３２から取り外し可能となる。
【００２１】
（２）プラズマテレビジョンの梱包構造：
図４は、プラズマテレビジョン１０の梱包状態をリアキャビネット２２の側から見た概略説明図により示している。図５は、プラズマテレビジョン１０の梱包構造を分解斜視図により示している。
図４において、梱包構造４０は、一点破線で示す梱包箱４１と、梱包箱４１に収容される上下緩衝材４２，４３とから構成される。
段ボール箱等で構成される梱包箱４１は、下緩衝材４３を収容する下箱４１ａと、プラズマテレビジョン１０と上緩衝材４２とを覆いつつ、上方から下箱４１ａに被せられる上箱４１ｂとから構成される。梱包箱４１の内部には、長手方向を左右とした本体キャビネット２０と、長手方向を上下としつつ、底面を本体キャビネット２０の背面に対向させた支持台３２とが収納される。この際、本体キャビネット２０と支持台３２とは、上方にて上緩衝材４２に支持され、下方にて下緩衝材４３に支持される。
【００２２】
図５に示すように、下緩衝材４３は、直方体形状の発泡スチロール材であり、本体キャビネット２０の下部を下方から支持する本体用凹み４３ａと、支持脚３１，３１を下緩衝材４３の高さ寸法内に収容する円柱形状の支持脚収容空間４３ｂ，４３ｂと、支持台３２の長手方向の一端側を支持する一端側凹み４３ｃとを上部に備えている。ここで、本体用凹み４３ａと支持脚収容空間４３ｂ，４３ｂとは、本体キャビネット２０と支持脚３１，３１の下側を支持するという観点で、本発明にいう底側凹みを示している。
梱包状態では、支持脚収容空間４３ｂ，４３ｂに支持脚３１，３１が収容され、本体用凹み４３ａにより本体キャビネット２０の下部が支持される。また、一端側凹み４３ｃにより支持台３２の長手方向の一端側が支持される。
【００２３】
上緩衝材４２は、直方体形状の発泡スチロール材であり、本体キャビネット２０の天井側を支持する天井側凹み４２ａと、支持台３２の長手方向の他端側を上方から支持する他端側凹み４２ｂとを下面に備えている。梱包状態では、天井側凹み４２ａにより本体キャビネット２０の天井側が支持される。また、他端側凹み４２ｂにより支持台３２の長手方向の他端側が支持される。
【００２４】
図６は、図４の梱包状態におけるプラズマテレビジョン１０の外形寸法を示している。
同図において、前後奥行き方向への外形寸法は、本体キャビネット２０の前後奥行きと、支持台３２の上面から底面までの厚みとの合計寸法Ａとなる。また、高さ方向への外形寸法は、本体キャビネット２０の高さと、支持脚３１，３１の長さとの合計寸法Ｂとなる。このため、支持脚３１，３１の周囲に生じる空きスペースＰが抑制されることにより、梱包容量が低減され、運搬用コンテナの入り数１２％増を見込むことができる。入り数を稼げる点は、図１２に示す従来の梱包構造における空きスペースＱとの比較でも明らかである。
【００２５】
このとき、支持台３２の長手方向の寸法Ｃは、高さ方向への外形寸法Ｂよりも小さくなるように設定してある。支持台３２の高さ方向への外形寸法がＢを超えて梱包箱４１が大型化するのを防ぐためである。この点でも、本実施形態の梱包構造は、小容量化して運搬用コンテナへの積み込み数を稼ぐことができる点で有用な構造となる。
また、支持脚３１，３１を支持脚収容空間４３ｂ，４３ｂに収容させることにより、図６に示す空きスペースＰが下緩衝材４３の高さ寸法内に収まり、梱包外形内の空間を有効利用することが可能となる。
【００２６】
本実施形態の下緩衝材４３では、本発明にかかる支持脚収容空間の一例として、円柱形状の支持脚収容空間４３ｂ，４３ｂを形成しているが、図７に示すような形態とすることも可能である。
同図においては、下緩衝材４３を三個の緩衝材Ｘ〜Ｚに分割し、下箱４１ａに収容するとき、緩衝材Ｘ，Ｙの間と、緩衝材Ｙ，Ｚの間とに支持脚３１の外径Ｒだけ間隔が設けられる。このため、支持脚３１，３１は、緩衝材Ｘ，Ｙの間と、緩衝材Ｙ，Ｚの間とに各々収容され、図６に示す空きスペースＰが下緩衝材４３の高さ寸法内に収まり、本実施形態の場合と同様に、梱包外形内の空間を有効利用することが可能となる。
【００２７】
図８は他の実施形態にかかる上緩衝材の構造を斜視図により示し、図９はその際のプラズマテレビジョン１０の梱包状態を側面図により示している。
図８において、上緩衝材５０は、本実施形態と同様、本体キャビネット２０の天井側を支持する天井側凹み５０ａと、支持台３２の長手方向の他端側を上方から支持する他端側凹み５０ｂとを基本構成として備えたほか、天井側凹み５０ａと他端側凹み５０ｂとの間に左右横長のスリット５０ｃを備えている。スリット５０ｃの左右の長さは、プラズマテレビジョン１０の取扱説明書６０の幅よりも広く、スリット５０ｃの前後幅は、該取扱説明書６０の厚みよりも大きい。
【００２８】
この構成により、上緩衝材５０を本体キャビネット２０の天井側に取り付ける際、中袋に入れた取扱説明書６０をスリット５０ｃに上方から挿入し、取扱説明書６０をリアキャビネット２２と支持台３２の底面との間に介在させ、該中袋の上端部をスリット５０ｃの上開口近辺の所定箇所Ｔにテープで固定する。
すると、図９に示すように、取扱説明書６０がリアキャビネット２２と支持台３２との間の緩衝材として機能し、運搬時に梱包箱４１が揺れるなどしても、リアキャビネット２２と支持台３２が接触することがなく、本体キャビネット２０と支持台３２とを互いに保護することが可能となる。
【００２９】
（３）プラズマテレビジョンの梱包手順と開梱組立手順：
図１０は、プラズマテレビジョン１０の梱包手順をフローチャートにより示しており、  以下、同図に基づいて梱包作業の手順を説明する。
下箱４１ａの開口の上方に向けて載置し、下箱４１ａに下緩衝材４３をセットする（ステップＳ１００）。支持脚３１，３１を支持脚収容空間４３ｂ，４３ｂに挿入しつつ、本体キャビネット２０の下部を本体用凹み４３ａにセットする（ステップＳ１１０）。また、支持台３２の長手方向を上下にして左端側（一端側）を一端側凹み４３ｃにセットする（ステップＳ１２０）。
【００３０】
そして、天井側凹み４２ａを本体キャビネット２０の天井側に、また、他端側凹み４２ｂを支持台３２の右端側（他端側）に位置合わせし、上緩衝材４２を本体キャビネット２０と支持台３２との上方にセットする（ステップＳ１３０）。
その後、プラズマテレビジョン１０（本体キャビネット２０、支持台３２）と上緩衝材４２とを覆いつつ、上箱４１ｂを上方から下箱４１ａに被せ、梱包箱４１の周囲にロープを掛けて梱包を完了する（ステップＳ１４０，１５０）。
【００３１】
図１１は、プラズマテレビジョン１０の開梱手順をフローチャートにより示しており、  以下、同図に基づいて開梱作業の手順を説明する。
梱包箱４１の周囲に掛けられたロープを解いた後、上箱４１ｂを取り外し、上緩衝材４２を取り外す（ステップＳ２００〜２２０）。
【００３２】
そして、支持台３２を下緩衝材４３から取り外して設置するとともに、本体キャビネット２０を下緩衝材４３から取り外し、支持脚３１，３１を支持台３２の取付孔３２ａ，３２ａに各々挿入してセットする（ステップＳ２３０，２４０）。その後、ビス貫通孔３２ａ１，３２ａ１とビス止め孔３１ａ，３１ａとを連通させつつ、工具で背面側からビスをビス止め孔３１ａに締め付けることにより、支持台３２を支持脚３１，３１に固定して梱包組立作業を完了する（ステップＳ２５０）。
【００３３】
（４）まとめ：
つまり、支持脚３１，３１が鉛直下方に突出する本体キャビネット２０と、左右長手方向を上下にして本体キャビネット２０の背面に配置される支持台３２とを上下緩衝材４２，４３により支持させつつ梱包箱４１に収容する。このため、支持脚３１，３１の周囲に生じる空きスペースＰが抑制されることにより、梱包容量が低減され、運搬用コンテナの入り数１２％増を見込むことができる。
【００３４】
なお、本発明は上述した実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用することは、本発明の一実施例として開示されるものである。
【図面の簡単な説明】
【００３５】
【図１】プラズマテレビジョンの概略構成を示すブロック図である。
【図２】プラズマテレビジョンの前面外観を示す斜視図である。
【図３】プラズマテレビジョンの背面外観を示す分解斜視図である。
【図４】プラズマテレビジョンの梱包状態をリアキャビネット側から見た概略説明図である。
【図５】プラズマテレビジョンの梱包構造を示す分解斜視図である。
【図６】梱包状態におけるプラズマテレビジョンの外形寸法を示す説明図である。
【図７】下緩衝材の変形例を示す斜視図である。
【図８】他の実施形態にかかる上緩衝材の構造を示す斜視図である。
【図９】プラズマテレビジョンの梱包状態を示す側面図である。
【図１０】プラズマテレビジョンの梱包手順を示すフローチャートである。
【図１１】プラズマテレビジョンの開梱手順を示すフローチャートである。
【図１２】従来の梱包構造におけるプラズマテレビジョンの外形寸法を示す説明図である。
【符号の説明】
【００３６】
１０…プラズマテレビジョン  １１ａ…コントローラ  １１ｂ…チューナ  １１ｃ…映像処理部  １１ｄ…スピーカ  １１ｅ…音声処理部  １１ｆ…リモコン  １１ｇ…リモコン受信部  １２…プラズマディスプレイパネル（ＰＤＰ）  ２０…本体キャビネット  ２１…フロントキャビネット  ２２…リアキャビネット  ３０…スタンド  ３１…支持脚  ３１ａ…ビス止め孔  ３２…支持台  ３２ａ…取付孔  ３２ａ１…ビス貫通孔  ４０…梱包構造  ４１…梱包箱  ４１ａ…下箱  ４１ｂ…上箱  ４２…上緩衝材  ４２ａ…天井側凹み  ４２ｂ…他端側凹み  ４３…下緩衝材  ４３ａ…本体用凹み  ４３ｂ…支持脚収容空間  ４３ｃ…一端側凹み  ５０…（他の実施形態の）上緩衝材  ５０ａ…天井側凹み  ５０ｂ…他端側凹み  ５０ｃ…スリット  ６０…取扱説明書  Ａ〜Ｃ…寸法  Ｐ…空きスペース  Ｘ〜Ｚ…緩衝材  Ｒ…（支持脚３１の）外径  Ｔ…所定箇所（テープ固定位置）
【図１】
2008213908.tif 000003
【図２】
2008213908.tif 000004
【図３】
2008213908.tif 000005
【図４】
2008213908.tif 000006
【図５】
2008213908.tif 000007
【図６】
2008213908.tif 000008
【図７】
2008213908.tif 000009
【図８】
2008213908.tif 000010
【図９】
2008213908.tif 000011
【図１０】
2008213908.tif 000012
【図１１】
2008213908.tif 000013
【図１２】
2008213908.tif 000014